(57)【要約】    【構成】携帯電話機１０は、フロントスクリーン１４の裏面に張り付けられた静電容量型タッチパネル１６などを備える。フロントスクリーン１４の表示領域（ＶＡ）の周辺の裏面には、メタル塗装（７２）が施されており、そのメタル塗装の下方にはタッチパネル１６のメタル配線（３２）が配置されている。そして、メタル塗装（７２）の下には絶縁塗装（９０）が施されている。つまり、メタル配線とメタル塗装との間には、絶縁層が介在している状態となる。    【効果】絶縁層を設けることで、タッチパネル１６の表面に印加される静電気がメタル配線に飛び込みにくくなる。そのため、静電気によるタッチパネル１６の誤動作が軽減される。【選択図】図１
2014006823.tif 000002
【特許請求の範囲】
【請求項１】
表示領域を含み、その表示領域の周辺の裏面に導電性粒子を含むメタル塗装が施されているフロントスクリーンと前記フロントスクリーンの裏面に接着部材を介して接着される静電容量型タッチパネルとを有し、前記タッチパネルは、前記表示領域に相当する領域に透明電極が設けられるアクティブ領域と前記アクティブ領域の周辺でかつメタル塗装の下方に配置されるメタル配線とを含む、電子機器において、
前記メタル配線と前記メタル塗装との間に絶縁層を介在させたことを特徴とする、電子機器。
【請求項２】
前記絶縁層は、絶縁塗装を含む、請求項１記載の電子機器。
【請求項３】
前記メタル塗装は、少なくとも２層となるように、２種類の塗料によって施される、請求項２記載の電子機器。
【請求項４】
前記絶縁層は、空気層を含む、請求項１ないし３のいずれかに記載の電子機器。
【発明の詳細な説明】
【技術分野】
【０００１】
この発明は、電子機器に関し、特にタッチパネルを有する、電子機器に関する。
【背景技術】
【０００２】
タッチパネルを有する電子機器の一例が特許文献１や特許文献２に開示されている。タッチパネルの上面には、周縁部の全周に亘るように、アース部材が張り付けられている。また、アース部材は裏蓋に接続されているため、帯電したユーザがタッチパネルを押圧したとしても、静電気はアース部材を介して裏蓋へ流れる。
【０００３】
また、特許文献２では、たとえば段落「００３３」に開示されているように、隙間から侵入した静電気は、導電部によって外部に導かれる。
【特許文献１】特開２０００−１０６２９７号公報［G06F 3/00, G06F 3/033, H04M 1/00, H04M 1/274］
【特許文献１】特開２０１０−３５０４６号公報［H04M 1/02, G06F 1/16］
【発明の概要】
【発明が解決しようとする課題】
【０００４】
ところが、特許文献１の電子機器が、タッチパネルを有する携帯電話機（たとえば、スマートフォン）に適用された場合、以下の問題が生じる。
【０００５】
最近のスマートフォンでは、タッチパネルは前面を覆うフロントスクリーンに張り付けられることが多々ある。つまり、タッチパネルの上には、タッチパネルよりも広いフロントスクリーンが設けられるため、タッチパネルの上面にアース部材が張り付けられている場合、フロントスクリーンにタッチパネルを直接貼り付けることが出来ない。また、アース部材を挟むようにして、フロントスクリーンにタッチパネルを接着したとしても、タッチパネルとフロントスクリーンとの間に隙間が生じてしまう。通常、タッチパネルの下にはＬＣＤが有り、このような隙間が生じると、ＬＣＤの視認性が低下する。このように、タッチパネルの上にフロントスクリーンを設ける場合、アース部材が邪魔になる。
【０００６】
また、特許文献２に開示された技術は、タッチパネルがウインドウ（カバー部材）よりも大きい場合に適用可能な技術である。
【０００７】
それゆえに、この発明の主たる目的は、新規な、電子機器を提供することである。
【０００８】
この発明の他の目的は、静電気による誤動作を軽減させることが出来る、電子機器を提供することである。
【課題を解決するための手段】
【０００９】
この発明は、上記の課題を解決するために、以下の構成を採用した。なお、括弧内の参照符号および補足説明等は、この発明の理解を助けるために記述する実施形態との対応関係を示したものであって、この発明を何ら限定するものではない。
【００１０】
第１の発明は、表示領域を含み、その表示領域の周辺の裏面に導電性粒子を含むメタル塗装が施されているフロントスクリーンとフロントスクリーンの裏面に接着部材を介して接着される静電容量型タッチパネルとを有し、タッチパネルは、表示領域に相当する領域に透明電極が設けられるアクティブ領域とアクティブ領域の周辺でかつメタル塗装の下方に配置されるメタル配線とを含む、電子機器において、メタル配線とメタル塗装との間に絶縁層を介在させたことを特徴とする、電子機器である。
【００１１】
第１の発明では、電子機器（１０：実施例において対応する部分を例示する参照符号。以下、同じ。）は、裏面にメタル塗装（７２）が施されているフロントスクリーン（１４）と、フロントスクリーンの裏面に接着部材を介して接着される静電容量型タッチパネル（１６）とを有する。フロントスクリーンは表示領域（ＶＡ）を含み、静電容量型タッチパネルには、その表示領域に相当する領域に透明電極（７８）が設けられるアクティブ領域（ＡＡ）が含まれる。また、静電容量型タッチパネルでは、アクティブ領域の周辺で、かつメタル塗装の下方には、メタル配線（３２）が配置される。そして、メタル配線とメタル塗装との間には、絶縁層（９０，９２）が介在している。
【００１２】
第１の発明によれば、絶縁層を設けることで、タッチパネルの表面に印加される静電気がメタル配線に飛び込みにくくなる。これにより、静電気によるタッチパネルの誤動作を軽減させることが出来る。
【００１３】
第２の発明は、第１の発明に従属し、絶縁層は、絶縁塗装（９０）を含む。
【００１４】
第２の発明によれば、製造工程を大きく変化させることなく、静電気の飛び込みによるタッチパネルの誤動作を軽減させることが出来る。
【００１５】
第３の発明は、第２の発明に従属し、メタル塗装は、少なくとも２層となるように、２種類の塗料によって施される。
【００１６】
第４の発明は、第１の発明ないし第３の発明のいずれかに従属し、絶縁層は、空気層（９２）を含む。
【００１７】
第３の発明および第４の発明によれば、塗装の状態を大きく変化させずに、静電気の飛び込みによるタッチパネル１６の誤動作を軽減させることが出来る。
【発明の効果】
【００１８】
この発明によれば、タッチパネルにおける静電気による誤動作を軽減させることができる。
【００１９】
この発明の上述の目的、その他の目的、特徴および利点は、図面を参照して行う以下の実施例の詳細な説明から一層明らかとなろう。
【図面の簡単な説明】
【００２０】
【図１】図１はこの発明の一実施例の携帯電話機を示す外観図である。
【図２】図２は図１に示すフロントスクリーンの構成の一例を示す図解図である。
【図３】図３は図２に示すフロントパネルの裏面に接着されているタッチパネルを示す図解図である。
【図４】図４は図３に示すフロントスクリーンおよびタッチパネルの断面図である。
【図５】図５は図３に示すフロントスクリーンおよびタッチパネルの他の断面図である。
【図６】図６は図３に示すフロントスクリーンおよびタッチパネルのその他の断面図である。
【図７】図７は図３に示すフロントスクリーンおよびタッチパネルのさらにその他の断面図である。
【発明を実施するための形態】
【００２１】
＜第１実施例＞
図１を参照して、この発明の一実施例の携帯電話機１０は、一例としてスマートフォンであり、縦長の扁平矩形のハウジング１２を含む。ただし、この発明は、タブレット端末およびＰＤＡなど任意の電子機器に適用可能であることを予め指摘しておく。
【００２２】
ハウジング１２の主面（表面）には、ハウジング１２の主面と略同じ広さのフロントスクリーン１４が取り付けてある。また、フロントスクリーン１４の裏面には、フロントスクリーン１４よりも一回り小さい静電容量型タッチパネル１６（以下、単にタッチパネル１６と言う。）が接着されている。そして、フロントスクリーン１４およびタッチパネル１６を介して表示面が視認できるように、たとえば液晶や有機ＥＬなどのディスプレイ１８がハウジング１２の内部の回路基板に取り付けられている。
【００２３】
ハウジング１２の縦方向一端の表面側にスピーカ２０が内蔵され、縦方向他端の表面側にマイク２２が内蔵される。タッチパネル１６と共に、入力操作手段を構成する静電タッチキーとして、この実施例では、通話キー２４ａ、終話キー２４ｂおよびメニューキー２４ｃが設けられる。
【００２４】
たとえば、ユーザは、ディスプレイ１８に表示されたダイヤルキー（図示せず）に対して、タッチパネル１６を利用してタッチ操作を行うことで電話番号を入力でき、通話キー２４ａを操作して音声通話を開始することが出来る。ユーザは、終話キー２４ｂを操作すれば、音声通話を終了することが出来る。なお、ユーザは、この終話キー２４ｂを長押しすることによって、携帯電話機１０の電源をオン／オフすることが出来る。
【００２５】
また、ユーザがメニューキー２４ｃを操作すれば、ディスプレイ１８にメニュー画面が表示される。その状態で、ユーザは、ディスプレイ１８に表示されているソフトキーやメニューアイコン（ともに図示せず）などに対して、タッチパネル１６によるタッチ操作を行うことによってメニューを選択し、その選択を確定させることが出来る。
【００２６】
図２を参照して、フロントスクリーン１４には、縦方向一端に設けられるスピーカ開口ＳＯと、縦方向他端に設けられるマイク開口ＭＯとが設けられる。また、フロントスクリーン１４は表示領域ＶＡを含む。表示領域ＶＡの下側には、通話キー２４ａ、終話キー２４ｂおよびメニューキー２４ｃをそれぞれ示すキートップＫＰ１−ＫＰ３が印刷されている。
【００２７】
また、タッチパネル１６は、表示領域ＶＡに相当する位置に透明電極７６（図４参照）が設けられるアクティブ領域ＡＡを含み、タッチ操作はそのアクティブ領域ＡＡにおいて検出される。
【００２８】
図３は、フロントパネル１４の裏面に接着されているタッチパネル１６を示す図解図である。タッチパネル１６には、複数の導線を含むフレキシブルハーネス３０の一方端が接続されている。また、フレキシブルハーネス３０の他方端は回路基盤と接続される。
【００２９】
タッチパネル１６のアクティブ領域ＡＡの周囲には、複数の導線が配置されている。そして、フレキシブルハーネス３０に含まれる複数の導線は、アクティブ領域ＡＡの周囲に配置される複数の導線とそれぞれ接続されている。これにより、タッチパネル１６の表面で生じる静電容量の変化が、タッチパネル制御回路に入力される。以下、アクティブ領域ＡＡの周囲に配置される複数の導線は、まとめて「メタル配線３２」と言う。
【００３０】
図３のＩＶ−ＩＶ断面図である図４を参照して、ガラスなどの透明部材で成形されるフロントスクリーン１４の裏面には、表示領域ＶＡなどを避けて、メタルパウダ（導電性粒子）を含む第１メタル塗装７２が施されている。また、第１メタル塗装７２の下には、同じくメタルパウダを含む第２メタル塗装７４が施されている。たとえば、第１メタル塗装７２は携帯電話機１０の本体色のための塗装であり、第２メタル塗装７４は第１メタル塗装７２の見栄えを向上させるための、たとえば反射材としての塗装である。
【００３１】
ガラスなどの透明部材で成形されるタッチパネル１６の表面には、上述した通り、アクティブ領域ＡＡの周囲にメタル配線３２が配置される。また、アクティブ領域ＡＡには、複数の透明電極７６が設けられる。そして、タッチパネル１６は、接着部材７８を介してフロントスクリーン１４に接着されている。
【００３２】
たとえば、接着部材７８はＵＶ硬化型の接着剤である。タッチパネル１６をフロントスクリーン１４に接着する場合、接着部材７８はフロントスクリーン１４の裏面に塗布される。次に、タッチパネル１６は、接着位置に合わせて、接着部材７８が塗布されたフロントスクリーン１４の上に置かれる。そして、紫外線が接着部材７８に照射されると、接着部材７８が硬化し、タッチパネル１６がフロントスクリーン１４に接着された状態となる。ただし、他の実施例では、接着部材７８はＯＣＡテープであってもよい。つまり、タッチパネル１６はＯＣＡテープによってフロントスクリーン１４に接着される。
【００３３】
ここで、フロントスクリーン１４の表面でＥＳＤ(Electro Static Discharge)が発生すると、第１メタル塗装７２および第２メタル塗装７４を介して、タッチパネル１６のメタル配線３２に静電気が飛び込む場合がある。この場合、タッチパネル１６が誤動作することがある。たとえば、タッチパネル１６が誤動作すると、タッチ操作がされていないにも関わらず、タッチ操作が検出される。
【００３４】
そこで、第１実施例では、フロントスクリーン１４の裏面に絶縁塗装を施すことで、静電気がメタル配線３２に飛び込みにくくする。
【００３５】
図５を参照して、第２メタル塗装７４に代えて、メタルパウダを含まない絶縁塗装９０が第１メタル塗装７２の下に施される。また、絶縁塗装９０の色を白色にすることで、第１メタル塗装７２の見栄えを向上させることが出来る。これにより、製造工程を大きく変化させることなく、静電気の飛び込みによるタッチパネル１６の誤動作を軽減させることが出来る。
【００３６】
＜第２実施例＞
第２実施例では、メタル配線３２と第２メタル塗装７４との間に空気層を設けることで、静電気がメタル配線３２に飛び込みにくくする。
【００３７】
図６を参照して、接着部材７８がメタル配線３２と第２メタル塗装７４との間に介在しないように、フロントスクリーン１４にタッチパネル１６が接着される。これにより、メタル配線３２と第２メタル塗装７４との間に、空気層９２が設けられる。
【００３８】
たとえば、接着部材７８がＵＶ硬化型の接着剤である場合、製造工程では、メタル配線３２と第２メタル塗装７４とに取り外し可能な枠が設けられる。つまり、フロントスクリーン１４にタッチパネル１６を接着する際に、メタル配線３２と第２メタル塗装７４とに取り外し可能な枠が設けられる。そして、接着剤を硬化させた後に、その枠が取り外されると、メタル配線３２と第２メタル塗装７４との間に空気層９２が介在している状態となる。
【００３９】
また、接着部材７８がＯＰＡテープである場合、製造工程では、ＯＰＡテープがメタル配線３２と第２メタル塗装７４との間に介在しないように成形される。そして、このように成形されたＯＰＡテープによって、フロントスクリーン１４にタッチパネル１６が張り付けられると、メタル配線３２と第２メタル塗装７４との間に空気層９２が介在している状態となる。
【００４０】
第２実施例では、これらの手法で、メタル配線３２と第２メタル塗装７４との間に空気層９２を介在させることで、静電気がメタル配線３２に飛び込みにくくなる。
【００４１】
このように、下地塗装を変化させずに、静電気の飛び込みによるタッチパネル１６の誤動作を軽減させることが出来る。
【００４２】
＜第３実施例＞
第３実施例では、第２メタル塗装７４の下に絶縁塗装９０を施すことで、静電気がメタル配線３２に飛び込まないようにする。
【００４３】
図７を参照して、第２メタル塗装７４の下には、さらに絶縁塗装９０が施される。よって下地塗装である第２メタル塗装７４を変更せずに、静電気の飛び込みによるタッチパネル１６の誤動作を軽減させることが出来る。
【００４４】
これらの実施例から分かるように、絶縁塗装９０および空気層９２などの絶縁層を設けることで、タッチパネル１６の表面で生じる静電気がメタル配線３２に飛び込みにくくなる。これにより、静電気によるタッチパネル１６の誤動作を軽減させることが出来る。
【００４５】
なお、第１実施例−第３実施例については、任意に組み合わせることが可能であり、具体的な組み合わせは容易に想像できるため、詳細な説明は省略する。
【００４６】
また、フロントスクリーン１４およびタッチパネル１６を成形する透明部材は、ガラスではなく、透明樹脂などであってもよい。
【００４７】
そして、本明細書中で挙げた、具体的な形状などは、いずれも単なる一例であり、製品の仕様変更などに応じて適宜変更可能である。
【符号の説明】
【００４８】
１０    …  携帯電話機
１４    …  フロントスクリーン
１６    …  タッチパネル
１８    …  ディスプレイ
３２    …  メタル配線
７２    …  第１メタル塗装
７４    …  第２メタル塗装
７６    …  透明電極
７８    …  接着部材
９０    …  絶縁塗装
９２    …  空気層
【図１】
2014006823.tif 000003
【図２】
2014006823.tif 000004
【図３】
2014006823.tif 000005
【図４】
2014006823.tif 000006
【図５】
2014006823.tif 000007
【図６】
2014006823.tif 000008
【図７】
2014006823.tif 000009